(57)【要約】【課題】筐体を所定の角度で安定して保持することができる携帯端末装置を提供すること。【解決手段】本発明にかかる携帯端末装置１は、第１の筐体１０と、第２の筐体２０と、ヒンジ３０と、凹部５２と、スタンド５１と、を備える。凹部５２は、第２の筐体２０に設けられている。スタンド５１は、第１の筐体１０に設けられ、凹部５２に係止された状態で、第１の筐体１０の第１の面１００ａと第２の筐体２０の第２の面２００ａとのなす角が所定の角度となるように、第１の筐体１０及び第２の筐体２０を支持可能である。【選択図】図１１
2014107714.tif 000002
【特許請求の範囲】
【請求項１】
第１の表示部が設けられた第１の面を有する第１の筐体と、
第２の表示部が設けられた第２の面を有する第２の筐体と、
前記第１の筐体と前記第２の筐体とを回転軸を中心に連結し、前記第１の筐体及び前記第２の筐体が少なくとも第１の状態において前記第１の面と前記第２の面とをそれぞれ外側に向けて連結する連結部と、
前記第２の筐体に設けられた係止部と、
前記第１の筐体に設けられ、前記係止部に係止された状態で、前記第１の面と前記第２の面とのなす角が所定の角度となるように、前記第１の筐体及び前記第２の筐体を支持可能な支持部材と、
を備える携帯端末装置。
【請求項２】
前記携帯端末装置は、前記第１の筐体及び前記第２の筐体を前記支持部材が支持している状態を検知する支持検知手段をさらに備える請求項１に記載の携帯端末装置。
【請求項３】
前記支持部材の一端は、前記第１の面の反対側の第３の面において、前記第１の筐体に連結され、
前記支持部材の他端は、前記支持部材が前記第１の筐体及び前記第２の筐体を支持している状態において、前記第２の面の反対側の第４の面に設けられた前記係止部に係止される請求項２に記載の携帯端末装置。
【請求項４】
前記第２の筐体は、基板及びバッテリを収容する請求項３に記載の携帯端末装置。
【請求項５】
前記支持部材は、前記第１の筐体に対して相対的に変位可能に連結され、
前記第１の筐体は、前記第３の面に、前記支持部材を収納可能な収納部を有する請求項３または４に記載の携帯端末装置。
【請求項６】
前記第１の表示部と前記収納部とは、前記第１の筐体の平面視において重なっていない請求項５に記載の携帯端末装置。
【請求項７】
前記支持検知手段は、前記収納部に設けられ、前記支持部材が前記収納部から取り出されたことを検知する請求項５または６に記載の携帯端末装置。
【請求項８】
前記支持検知手段は、前記係止部が前記支持部材を係止している状態を検知する請求項２〜６のいずれか一項に記載の携帯端末装置。
【請求項９】
前記支持検知手段の検知結果に基づいて、前記携帯端末装置が実行する機能を切り替える制御手段をさらに備える請求項７または８に記載の携帯端末装置。
【請求項１０】
前記携帯端末装置の姿勢を検出する姿勢検出手段をさらに備え、
前記制御手段は、前記支持検知手段の検知結果及び前記姿勢検出手段の検出結果に基づいて、前記携帯端末装置が実行する機能を切り替える請求項９に記載の携帯端末装置。
【請求項１１】
前記携帯端末装置は、複数の前記係止部を備え、
複数の前記係止部は、それぞれ異なる位置に配置され、
前記制御手段は、前記支持部材を係止する前記係止部の位置に基づいて、前記携帯端末装置が実行する機能を切り替える請求項９または１０に記載の携帯端末装置。
【請求項１２】
前記所定の角度は鋭角である請求項１〜１１のいずれか一項に記載の携帯端末装置。
【発明の詳細な説明】
【技術分野】
【０００１】
本発明は携帯端末装置に関する。
【背景技術】
【０００２】
近年、携帯電話やスマートフォンなどの携帯端末装置が普及している。特に、携帯電話においては、折り畳み式の端末が広く普及している。また、スマートフォンにおいても、折り畳み可能な端末が提案されている。
【０００３】
また、携帯端末装置は、通話機能やメール機能等の一般的な携帯電話の機能に加えて、動画再生やゲーム等の様々な機能を有する。このため、ユーザは、これらの機能に適した携帯端末装置のスタイル（姿勢）を選択し、携帯端末装置を使用している。携帯端末装置のスタイルとしては、例えば、折り畳み式の携帯端末装置を開いた状態（開状態）や閉じた状態（閉状態）等がある。
【０００４】
例えば、特許文献１には、折り畳み可能な情報処理装置が開示されている。この情報処理装置は、開状態における背面に収納式スタンドを備えている。ユーザは、スタンドを出した情報処理装置を机等に立てて使用することができる。
【先行技術文献】
【特許文献】
【０００５】
【特許文献１】特開平９−３０５２５９号公報
【発明の概要】
【発明が解決しようとする課題】
【０００６】
このとき、折り畳み式の携帯端末装置が実行する機能によっては、開状態及び閉状態ではなく、それぞれの筐体を所定の角度で固定したスタイルが好ましい場合もある。しかしながら、筐体を所定の角度で保持する手段は２つの筐体を連結するヒンジのみであり、携帯端末装置のスタイルの保持力は不安定である。そのため、携帯端末装置に外力が加わると、筐体は所定の角度を維持できないという問題がある。
【０００７】
上記課題に鑑み本発明の目的は、筐体を所定の角度で安定して保持することができる携帯端末装置を提供することである。
【課題を解決するための手段】
【０００８】
本発明の一態様にかかる携帯端末装置は、第１の表示部が設けられた第１の面を有する第１の筐体と、第２の表示部が設けられた第２の面を有する第２の筐体と、前記第１の筐体と前記第２の筐体とを回転軸を中心に連結し、前記第１の筐体及び前記第２の筐体が少なくとも第１の状態において前記第１の面と前記第２の面とをそれぞれ外側に向けて連結する連結部と、前記第２の筐体に設けられた係止部と、前記第１の筐体に設けられ、前記係止部に係止された状態で、前記第１の面と前記第２の面とのなす角が所定の角度となるように、前記第１の筐体及び前記第２の筐体を支持可能な支持部材と、を備えるである。
【発明の効果】
【０００９】
本発明により、筐体を所定の角度で安定して保持することができる携帯端末装置を提供することができる。
【図面の簡単な説明】
【００１０】
【図１】実施の形態にかかる閉状態の携帯端末装置の平面図である。
【図２】実施の形態にかかる閉状態の携帯端末装置の背面図である。
【図３】実施の形態にかかる閉状態の携帯端末装置の上面図である。
【図４】実施の形態にかかる閉状態の携帯端末装置の下面図である。
【図５】実施の形態にかかる閉状態の携帯端末装置の側面図である。
【図６】実施の形態にかかる閉状態の携帯端末装置の側面図である。
【図７】実施の形態にかかる開状態の携帯端末装置の平面図である。
【図８】実施の形態にかかる開状態の携帯端末装置の背面図である。
【図９】スタンド収納時における図８のＡ−Ａ断面図である。
【図１０】スタンド突出時における図８のＡ−Ａ断面図である。
【図１１】実施の形態にかかる使用態様を説明するための斜視図である。
【図１２】実施の形態にかかる使用態様を説明するための斜視図である。
【図１３】変形例にかかる使用態様を説明するための斜視図である。
【発明を実施するための形態】
【００１１】
以下、図面を参照して本発明の実施の形態について説明する。
図１〜図６は、携帯端末装置１の閉状態を示す図である。図１は、本実施の形態にかかる携帯端末装置１の閉状態における正面図である。図２は、携帯端末装置１の閉状態における背面図である。図３は、携帯端末装置１の閉状態における上面図である。図４は、携帯端末装置１の閉状態における下面図である。図５及び図６は、携帯端末装置１の閉状態における側面図である。
【００１２】
また、図７、図８は、携帯端末装置１の開状態を示す図である。図７は、本実施の形態にかかる携帯端末装置１の開状態における正面図である。図８は、携帯端末装置１の開状態における背面図である。なお、本実施の形態にかかる携帯端末装置１は、例えばスマートフォン、タブレット型の携帯端末装置、携帯電話、ゲーム機、電子書籍端末などである。
【００１３】
＜携帯端末装置１の構成＞
始めに、図１〜図８を参照して、携帯端末装置１の構成について説明する。本実施の形態にかかる携帯端末装置１は、第１の筐体１０と、第２の筐体２０と、を備える。携帯端末装置１は、第１の筐体１０と第２の筐体２０との間にヒンジ３０を備える（例えば、図１及び図８参照）。
【００１４】
ヒンジ３０（連結部）は、第１の筐体１０と第２の筐体２０とを開閉可能に連結する。より詳細には、ヒンジ３０は、第１の筐体１０と第２の筐体２０とを回転軸を中心に開閉可能に連結する。言い換えると、ヒンジ３０は、携帯端末装置１が閉状態（第１の状態）から開状態（第２の状態）へ、または、開状態（第２の状態）から閉状態（第１の状態）へと変化可能に、第１の筐体１０と第２の筐体２０とを連結する。なお、閉状態において、第１の筐体１０と第２の筐体２０とは、筐体の厚み方向において重なっている（図１及び図２参照）。
【００１５】
また、ヒンジ３０は、閉状態において第１の筐体１０の主面１００ａ（第１の面）と第２の筐体２０の主面２００ａ（第２の面）とをそれぞれ外側に向けて連結する（図１及び図２参照）。言い換えると、ヒンジ３０は、閉状態において、主面１００ａと主面２００ａとが反対方向を向くように、第１の筐体１０と第２の筐体２０とを連結する。また、ヒンジ３０は、閉状態（第１の状態）から開状態（第２の状態）に回転軸を中心に第１の筐体１０と第２の筐体２０とを相対回転する。そして、ヒンジ３０は、閉状態における第１及び第２の筐体１０、２０を保持し、開状態における第１及び第２の筐体１０、２０を保持する
【００１６】
第１の筐体１０の主面１００ａ（第１の面）は、略矩形である。より詳細には、主面１００ａは、ヒンジ３０の回転軸方向に長辺を有する長方形である。主面１００ａは、閉状態において携帯端末装置１の外側を向く平面である。
【００１７】
第１の筐体１０は、主面１００ａ上に、表示部１１と、スピーカ１２と、近接センサ１３と、を備える（図１参照）。表示部１１（第１の表示部）は、例えばＬＣＤ（Liquid Crystal Display）であり、第１の筐体１０内部に格納されたサブ基板（図示省略）の制御に応じて、画像を表示する。勿論、表示部１１は、ＬＣＤに限られず、他の表示デバイス（有機ＥＬ（Electro Luminescence）等）であってもよい。表示部１１は、略矩形状であり、主面１００ａの略中央に位置する。なお、表示部１１は、タッチパネル等の操作部を備えてもよい（図示省略）。
【００１８】
レシーバ１２は、通話時に通話相手の音声を出力する。第１の筐体１０は、主面１００ａの長手方向端部に、レシーバ１２を備える。つまり、第１の筐体１０は、表示部１１よりも上側（端部側）にレシーバ１２を備える。なお、レシーバ１２は、第１の筐体１０の短手方向の略中央に位置する。
【００１９】
近接センサ１３は、物体（ユーザの顔など）が主面１００ａ（表示部１１）へ接近したことを検知するセンサである。第１の筐体１０は、主面１００ａ上に、近接センサ１３を備える。近接センサ１３は、レシーバ１２よりもヒンジ３０側に位置する。
【００２０】
第２の筐体２０は、表示部２１と、カメラ２２と、ライト２３と、メインマイク２４と、サブマイク２５と、ＵＳＢ(Universal Serial Bus)コネクタ２６と、イヤホンジャック２７と、サイドキー２８と、アンテナ２９と、を備える（図２〜図５参照）。また、第２の筐体２０は、図示しないメイン基板やバッテリを有する。メイン基板は、回路素子を有する。ここで、回路素子（制御手段）は、例えば携帯端末装置１を駆動するためのプロセッサ、メモリ、通信モジュール等の集積回路装置や、表示制御回路等である。バッテリは、メイン基板や、表示部１１、２１に電源を供給する。バッテリは、例えばリチウムイオン二次電池である。
【００２１】
第２の筐体２０の主面２００ａは、略矩形である。より詳細には、主面２００ａは、ヒンジ３０の回転軸方向に長辺を有する長方形である。主面２００ａ（第２の面）は、閉状態において携帯端末装置１の外側を向く平面である。
【００２２】
表示部２１（第２の表示部）は、例えばＬＣＤであり、第２の筐体２０内部に格納されたメイン基板（図示省略）の制御に応じて、画像を表示する。勿論、表示部２１は、ＬＣＤに限られず、他の表示デバイス（有機ＥＬ等）であってもよい。表示部２１は、略矩形状であり、主面２００ａの略中央に位置する。なお、表示部２１は、タッチパネル等の操作部を備えてもよい（図示省略）。
【００２３】
カメラ２２は、図示しない撮像素子を有する。カメラ２２は、ユーザの操作に応じて撮像処理を実行し、画像データや動画データを生成する。カメラ２２は、表示部２１よりも上側（第２の筐体２０の長手方向端部側）に位置する。
【００２４】
ライト２３は、カメラ２２のフラッシュ撮影等に応じて発光する。ライト２３は、カメラ２２の近傍に位置する。
【００２５】
メインマイク２４は、周囲の音を収音するマイク装置である。具体的には、メインマイク２４は、通話時におけるユーザの声や、動画撮影時における周囲の音声等を収音する。メインマイク２４は、第２の筐体２０の下側（長手方向端部側）の側面に位置する（図４参照）。
【００２６】
サブマイク２５は、周囲の音を収音するマイク装置である。具体的には、サブマイク２５は、通話時（ハンズフリー通話）におけるユーザの声や、動画撮影時における周囲の音声等を収音する。サブマイク２５は、第２の筐体２０の上側の側面に位置する（図３参照）。より詳細には、サブマイク２５は、メインマイク２４が設けられた側面と反対側の側面に位置する。
【００２７】
ＵＳＢコネクタ２６は、外部機器（メモリ、ＰＣ（Personal Computer）、充電器等）と接続するためのコネクタである。ＵＳＢコネクタ２６は、第２の筐体２０の上面に位置する（図３参照）。
【００２８】
イヤホンジャック２７は、イヤホンやヘッドホンと接続を行う端子である。サイドキー２８は、音量の調整等に用いられるキーである。イヤホンジャック２７及びサイドキー２８は、第２の筐体２０の側面のうち、ヒンジ３０が連結されている側面と反対側の側面に位置する（図５参照）。
【００２９】
アンテナ２９は、携帯端末装置１の通信機能（通話、メール、インターネット等）に用いられる電波を送受信する。また、アンテナ２９は、ワンセグ放送に用いられる電波を受信する。第２の筐体２０は、長手方向の両端部にアンテナ２９を収容する（図２参照）。
【００３０】
また、携帯端末装置１は、６軸センサ４１と、開閉検知センサ４２と、を備える（図８参照）。６軸センサ４１（姿勢検出手段）は、第１の筐体１０の内部に設けられている。６軸センサ４１は、上下、左右、前後の３方向を検出する加速度センサを含む。６軸センサ４１は、携帯端末装置１の姿勢、移動方向、向き、回転を検出する。開閉検知センサ４２（姿勢検出手段）は、携帯端末装置１が開状態であるか、閉状態であるかを検知する。開閉検知センサ４２は、例えば、機械式のスイッチ等を用いて構成されていてもよいし、ホール素子と磁石等を用いて構成されていてもよい。
【００３１】
さらに、携帯端末装置１は、スタンド５１と、凹部５２と、を備える。スタンド５１（支持部材）は、第１の筐体１０の短手方向に延びる棒状の部材である。スタンド５１は、第１の筐体１０の背面（主面１００ａの反対側の面。第３の面）に設けられている。スタンド５１は、第１の筐体１０の長手方向において、表示部１１よりも第１の筐体１０の端部側に位置している。つまり、スタンド５１は、第１の筐体１０の平面視（図１参照）において、表示部１１と重なっていない。これにより、第１の筐体１０の厚み方向に部品が重なることを回避できる。その結果、携帯端末装置１は、第１の筐体１０の厚みを薄くすることができる。
【００３２】
凹部５２（係止部）は、第２の筐体２０の背面（主面２００ａの反対側の面。第４の面）に設けられている。スタンド５１の端部が凹部５２に嵌合することにより、スタンド５１が係止される。
【００３３】
また、凹部５２内部には、スタンド５１が係止されたことを検知するスイッチ５２１が設けられている。つまり、スイッチ５２１（支持検知手段）は、凹部５２に嵌合したスタンド５１の端部に押されることにより、スタンド５１が係止されたことを検知する。さらに言い換えると、スイッチ５２１は、スタンド５１が係止されたことを検知することにより、スタンド５１が第１の筐体１０及び第２の筐体２０を支持している状態を検知する。メイン基板は、スイッチ５２１の検知結果を取得する。
【００３４】
ここで、図９及び図１０を参照して、スタンド５１の詳細な構成について説明する。図９及び図１０は、図２のＡ−Ａ断面図である。図９は、スタンド５１が収納されている状態を示す。図１０は、スタンド５１が飛び出ている状態を示す。図９及び図１０に示すように、スタンド５１の一端は、第１の筐体１０の連結部５３に対して変位可能に連結されている。具体的には、スタンド５１は、連結部５３（例えばヒンジ等）の回動軸を中心に回動可能に構成されている。
【００３５】
第１の筐体１０は、背面１００ｂ側に収納部５４を有する。収納部５４は、スタンド５１を収納可能な空間である。スタンド５１と同様に、収納部５４も第１の筐体の平面視において、表示部１１と重なっていない。これにより、携帯端末装置１は、第１の筐体１０の厚みを薄くすることができる。
【００３６】
なお、図９に示すように、スタンド５１の収納時においては、スタンド５１の側面５１１（第１の筐体１０の背面側の側面）と、第１の筐体１０の背面１００ｂとは、略同一平面を形成する。つまり、携帯端末装置１の閉状態において、スタンド５１の側面は、第１の筐体１０の背面１００ｂの一部を構成する。これにより、携帯端末装置１の閉状態において、第１の筐体１０の背面１００ｂは、第２の筐体２０の背面に隙間なく接することができ、薄型化を図ることができる。
【００３７】
スタンド５１が収納部５４から飛び出た状態においては、スタンド５１の端部５５が露出する（図１０参照）。スタンド５１の端部５５が、第２の筐体２０の凹部５２に嵌合することにより、スタンド５１が係止される。なお、スタンド５１は、ヒンジ３０側の端部５５が露出可能であり、ヒンジ３０とは反対側の端部が連結部５３を介して第１の筐体１０に連結される。
【００３８】
なお、支持検知手段は、物理的なスイッチに限られない。例えば、支持検出手段は、磁気センサや光センサを用いて、スタンド５１が凹部５２に係止されたことを検知してもよい。また、スタンド５１が収納部５４から取り出されたことを検知する支持検知手段を収納部５４に設けてもよい。つまり、支持検知手段は、スタンド５１が取り出されたことを検知することにより、第１の筐体１０及び第２の筐体２０をスタンド５１が支持している状態を検知する。
【００３９】
＜携帯端末装置１の使用態様＞
続いて、本実施の形態にかかる携帯端末装置１の使用態様について、図１１及び図１２を参照して説明する。図１１は、携帯端末装置１の第１の使用態様を示す外観斜視図である。図１２は、携帯端末装置１の第２の使用態様を示す外観斜視図である。
【００４０】
図１１及び図１２に示す使用態様においては、スタンド５１が、凹部５２に係止された状態で、主面１００ａと主面２００ａとのなす角θが所定の角度となるように、第１の筐体１０及び第２の筐体２０を支持している。これにより、主面１００ａと主面２００ａとのなす角θが所定の角度に維持された状態で、第１の筐体１０と第２の筐体２０とが固定される。
【００４１】
図１１に示す第１の使用態様は、例えば、ユーザが一人で動画等を視聴する場合に用いられる使用態様である。具体的には、第２の筐体２０の主面２００ａが、載置面（図示省略）に載置される。これにより、第１の使用態様においては、第１の筐体１０の表示部１１が、第２の筐体２０の主面２００ａ（または載置面）に対して角度θ傾いた状態となる。そのため、ユーザは、携帯端末装置１を机等に置いて動画等の視聴を行うことができる。
【００４２】
例えば、ユーザが、机等に携帯端末装置１を載置して動画を視聴する場合、載置面である机等は、ユーザの目線より下に位置すると考えられる。そのため、表示部１１は、上側（載置面が向いている方向。図１１の上側）を向いて傾いていることが好ましい。つまり、主面１００ａと主面２００ａとがなす角度θは、鋭角であることが好ましい。
【００４３】
図１２に示す第２の使用態様は、例えば、２人のユーザが向かい合って動画等を視聴する場合に用いられる使用態様である。具体的には、第１の筐体１０のヒンジ３０と反対側の側面と、第２の筐体２０のヒンジ３０と反対側の側面と、が載置面（図示省略）に載置される。これにより、一方のユーザは、第１の筐体１０の表示部１１を見ることができ、他方のユーザは、第２の筐体２０の表示部２１を見ることができる、
【００４４】
このとき、メイン基板の制御部は、スイッチ５２１の検知結果に基づいて、携帯端末装置１が実行する機能を切り替える。例えば、制御部は、スイッチ５２１によりスタンド５１が凹部５２に係止されたことが検知された場合、待ち受け状態から動画再生機能を実行する。なお、スイッチ５２１によりスタンド５１が凹部５２に係止されたことが検知された場合に、制御部が実行する機能は、動画再生に限られず、ユーザが適宜設定可能としてもよい。これにより、携帯端末装置１は、図１１または図１２の使用態様に移行した場合に、自動的に動画再生機能を実行することができる。
【００４５】
ただし、スイッチ５２１の検知結果のみでは、携帯端末装置１が図１１と図１２のいずれの状態であるかを判断することができない。そのため、制御部は、スイッチ５２１の検知結果に加えて、６軸センサ４１の検出結果を取得する。つまり、制御部は、携帯端末装置の姿勢を取得する。これにより、制御部は、携帯端末装置１が図１１（第１の使用態様）または図１２（第２の使用態様）のいずれの使用態様の姿勢であるかを判断できる。
【００４６】
さらに、制御部は、スイッチ５２１の検知結果及び６軸センサ４１の検出結果に基づいて、携帯端末装置１が実行する機能を切り替えてもよい。例えば、制御部は、スイッチ５２１の検知結果及び６軸センサ４１の検出結果に基づいて、図１１に示した第１の使用態様であると判断した場合、第２の筐体２０の表示部２１をオフ状態にして、第１の筐体１０の表示部１１をオン状態としてもよい。このとき、制御部は、第１の筐体１０の短手方向において、ヒンジ３０側の端部が動画の下側、ヒンジ３０と反対側の端部が動画の上側となるように、表示部１１を制御してもよい。
【００４７】
また、例えば、制御部は、スイッチ５２１の検知結果及び６軸センサ４１の検出結果に基づいて、図１２に示した第２の使用態様であると判断した場合、表示部１１、２１をオン状態としてもよい。このとき、制御部は、第１の筐体１０の短手方向において、ヒンジ３０側の端部が動画の上側、ヒンジ３０と反対側の端部が動画の下側となるように、表示部１１を制御してもよい。また、制御部は、表示部２１についても同様に、ヒンジ３０側の端部が動画の上側、ヒンジ３０と反対側の端部が動画の下側となるように制御してもよい。
【００４８】
このように、制御部が、使用態様の判断にスイッチ５２１の検知結果に加えて、６軸センサ４１の検出結果も用いる。これにより、制御部は、第１の筐体１０と第２の筐体２０との相対的な位置関係だけでなく、携帯端末装置１の載置面に対する姿勢の違いを判断できる。そのため、制御部は、各姿勢に適した機能を実行することができ、携帯端末装置の利便性を向上させることができる。
【００４９】
以上のように、本実施の形態にかかる携帯端末装置１の構成によれば、第１の筐体１０は、スタンド５１を有する。また、第２の筐体２０は、凹部５２を有する。そして、スタンド５１は、凹部５２に係止された状態で、主面１００ａと主面２００ａとのなす角θが所定の角度となるように、第１の筐体１０及び第２の筐体２０を支持可能である。このため、携帯端末装置１は、筐体を所定の角度で安定して保持することができる。
【００５０】
＜変形例＞
本実施の形態にかかる変形例について説明する。変形例にかかる携帯端末装置の第１の使用態様における外観斜視図を図１３に示す。変形例にかかる携帯端末装置は、３つの凹部５２ａ〜５２ｃを有する。なお、その他の構成については上述の携帯端末装置１と同様であるので、説明を適宜省略する。
【００５１】
凹部５２ａ〜５２ｃは、スタンド５１と嵌合可能に構成される。凹部５２ａ〜５２ｃは、スタンド５１と嵌合することにより、スタンド５１を係止する。凹部５２ａ〜５２ｃは、それぞれスイッチを有する。
【００５２】
凹部５２ａ〜５２ｃは、第２の筐体２０の背面において、それぞれ異なる位置に設けられている。より詳細には、凹部５２ａ〜５２ｃは、第２の筐体２０の長手方向端部に設けられている。また、凹部５２ａ〜５２ｃは、第２の筐体２０の短手方向に並んでいる。このため、スタンド５１が凹部５２ａに係止された状態、凹部５２ｂに係止された状態、及び凹部５２ｃに係止された状態で、それぞれ角度θ（主面１００ａと主面２００ａとがなす角）が異なる。つまり、スタンド５１は、主面１００ａと主面２００ａとがなす角を変えて、第１の筐体１０及び第２の筐体２０を支持することができる。したがって、変形例にかかる携帯端末装置は、第１の筐体１０と第２の筐体２０とを、複数の異なる角度θで固定することができる。
【００５３】
制御部は、それぞれの凹部５２ａ〜５２ｃに設けられたスイッチの検知結果を取得する。例えば、図１３に示した状態においては、凹部５２ａにスタンド５１が嵌合している。そのため、凹部５２ａ内のスイッチが押される。そして、制御部は、凹部５２ａ〜５２ｃのスイッチの検知結果を取得する。つまり、制御部は、凹部５２ａのスイッチがオン（押下）、凹部５２ｂのスイッチがオフ、凹部５２ｃのスイッチがオフ、という情報を取得する。これにより、制御部は、主面１００ａと主面２００ａとがなす角θを認識できる。なお、全ての凹部５２ａ〜５２ｃにスイッチが設けられていなくてもよい。
【００５４】
そして、制御部は、主面１００ａと主面２００ａとのなす角θに基づいて、携帯端末装置が実行する機能を切り替える。つまり、制御部は、スタンド５１により押されたスイッチの位置（スタンド５１と嵌合する凹部の位置）に基づいて、携帯端末装置が実行する機能を切り替える。
【００５５】
以上のように、変形例にかかる携帯端末装置の構成によれば、第２の筐体２０が３つの凹部５２ａ〜５２ｃを有する。これにより、ユーザは、第１の使用態様（図１１及び図１３）において、携帯端末装置を３通りの姿勢で固定することができる。同様に、ユーザは第２の使用態様（図１２）において、携帯端末装置を３通りの姿勢で固定することができる。その結果、携帯端末装置の固定可能な姿勢を増やすことができる。したがって、ユーザは使用状況に適した携帯端末装置の姿勢を選択することができ、携帯端末装置の利便性を向上させることができる。
【００５６】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【００５７】
例えば、スタンド５１の形状は、図１１〜図１３に示した形状に限られない。スタンド５１は棒状ではなく平板状であってもよい。また、凹部５２の形状及び位置も、図１１〜図１３に示した位置に限られない。第２の筐体２０が複数の凹部を有する場合、凹部の個数は３個に限られない。さらに、第２の筐体２０にスタンド５１が連結され、第１の筐体１０が凹部を有する構成であってもよい。また、スタンド５１を係止する係止部の形状は、凹部に限られず、凸部や貫通孔であってもよい。
【符号の説明】
【００５８】
１  携帯端末装置
１０  第１の筐体
１１  表示部
１２  レシーバ
１３  近接センサ
２０  第２の筐体
２１  表示部
２２  カメラ
２３  ライト
２４  メインマイク
２５  サブマイク
２６  ＵＳＢコネクタ
２７  イヤホンジャック
２８  サイドキー
３０  ヒンジ
４１  ６軸センサ
４２  開閉検知センサ
５１  スタンド
５２  凹部
５３  連結部
５４  収納部
１００ａ、２００ａ  主面
１００ｂ  背面
【図１】
2014107714.tif 000003
【図２】
2014107714.tif 000004
【図３】
2014107714.tif 000005
【図４】
2014107714.tif 000006
【図５】
2014107714.tif 000007
【図６】
2014107714.tif 000008
【図７】
2014107714.tif 000009
【図８】
2014107714.tif 000010
【図９】
2014107714.tif 000011
【図１０】
2014107714.tif 000012
【図１１】
2014107714.tif 000013
【図１２】
2014107714.tif 000014
【図１３】
2014107714.tif 000015